(57)【要約】      （修正有）【課題】  本発明は、メモから雑誌、ハサミ、鍵、くし、ＣＤ、雑巾等のあらゆる小物類について、両手を使うことなく片手だけで確実にワンタッチで着脱できるクリップを提供する。【解決手段】  前面片辺部が後面片辺部よりやや短いＵ字型のクリップ本体（１）の内側に少なくとも１個の伸縮体の電池バネ（２）又はスポンジ等のクッション材（６）と押さえ板基材（３）が組成され、当該伸縮体の反発力をもって押さえ板材（３）がメモや雑誌等を圧縮保持する構成を備えると共に、当該クリップ本体（１）の裏面には、マグネット又は粘着シート若しくは画鋲が組成されていることを特徴とするワンタッチ式クリップ。【選択図】  図１
2006315382.tif 000002
【特許請求の範囲】
【請求項１】
前面片辺部が後面片辺部よりやや短いＵ字型のクリップ本体（１）の内側に少なくとも１個の伸縮体の電池バネ（２）又はスポンジ等のクッション材（６）と押さえ板基材（３）が組成され、当該伸縮体の反発力をもって押さえ板材（３）がメモや雑誌等を圧縮保持する構成を備えると共に、当該クリップ本体（１）の裏面には、マグネット又は粘着シート若しくは画鋲が組成されていることを特徴とするワンタッチ式クリップ。
【発明の詳細な説明】
【技術分野】
【０００１】  本発明は、メモから雑誌、ハサミ、鍵、くし、ＣＤ、雑巾等のあらゆる小物類について、両手を使うことなく片手だけで確実にワンタッチで着脱できるクリップに関する。
【技術背景】
【０００２】  従来の技術によると、メモを片手だけで着脱できるクリップが種々考案されているが電池バネ及びスポンジの反発性を利用した用途として、メモクリップに使用されている事案はない。
【発明の開示】
【発明が解決しようとする課題】
【０００３】  メモ等を片手だけで着脱できるクリップが種々考案されているが、保持可能枚数は５、６枚程度であり、雑誌等の厚手のものや新聞等の重量のあるもの及び小物類を挟み保持することができない。また、多くの枚数を保持したまま長時間放置すると、保持力が低下するなどの性能面での課題もある。さらに、差し込む方向がクリップの下側からに対し、取り外す方向が横からのものもあり、使い勝手にわずらわしいなどの課題がある。なお、片手で着脱できるクリップの特徴として、クリップで挟まれたメモ部分の字は見えないものが大半である。つまり、メモ全体の字を読み取るにはクリップから一旦取り外さないと読めないという課題がある。なお、メモと違い広告物やポスター類は、壁面に画鋲で止める使用頻度が高いが、従来のメモクリップは、マグネット若しくは粘着シートによる壁面への接着を想定しており、凹凸面のある壁面に対応しづらいという課題がある。本発明は、ワンタッチクリップに関し、被保持体の対象範囲を広げると共に、クリップの保持力の向上と小型軽量化をもって、以上の課題の解決を図るものである。
【課題を解決する為の手段】
【０００４】  これらの問題を解決する手段として、前面片辺部が後面片辺部よりやや短いＵ字型のクリップ本体（１）の内側に少なくとも１個の伸縮体の電池バネ（２）又はスポンジ等のクッション材（６）と押さえ板基材（３）が組成され、当該伸縮体の反発力をもって押さえ板材（３）がメモや雑誌等を圧縮保持する構成を備えると共に、当該クリップ本体（１）の裏面には、マグネット又は粘着シート若しくは画鋲が組成されていることを特徴とするワンタッチ式クリップ。
【発明の効果】
【０００５】  本発明のクリップによれば、主な構成として、Ｕ字型のクリップ本体と伸縮体と押さえ板基材という極めてシンプルな構成としており、特に本発明は、伸縮体の反発力と収縮率を利用していることから、メモや雑誌、ハサミ、鍵、くし、歯ブラシ、雑巾等のあらゆる小物類の外、新聞等の大判かつ重量あるものまで、両手を使うことなく片手だけで確実にワンタッチで着脱できる。また、追加差し込みも可能であると共に、テープや画鋲のようにメモ紙等を傷めることもない。さらに、伸縮体として組成する電池バネ又はスポンジ体は反発力及び耐久性に優れており、長期使用による保持力低下の課題もない。また、差し込み方向と取り外す方向に同一性を持たせており、使い勝手が良い。なお、電池バネの特性として、バネの大小及び巻き数の増減並びにバネ線の太さの加工調製ができ、反発値の調整が自在である。従って、被保持体の仕様に合わせた保持調整に優れており、産業界におけるきめ細かなニーズ、例えばカルテフォルダクリップ若しくは携帯電話クリップ等への対応も可能である。また、クリップ本体の背面にマグネット、粘着シール、画鋲などを組成することにより、壁面に確実に固定できる。なお、クリップ本体の透明により、メモ等の被保持体全体が外観から判読可能となる。さらに、被保持体がない時は、電池バネが透視されるので、デザイン的にも、かなりユニークなクリップに見える。本発明のクリップに雑誌やＣＤ等を保持させて、店頭壁面等に陳列すれば、店頭用ＰＯＰ、販売促進ツールに最適であることは、いうまでも無い。
【発明を実施するための最良の形態】
【０００６】  本発明の最良の形態について開示する。初めに、本クリップ構造の３要素の一つ、クリップ本体の形態を以下に開示する。Ｕ字型のクリップ本体（１）の内側には、少なくとも１個の伸縮体の電池バネ（２）又はスポンジ（６）と、への字状の押さえ板基材（３）が組成されることを特徴としている。クリップ本体の材質は、プラスチック、アクリル、アルミ金属、木材等とし、容易に変形しない素材とする。特にクリスタル性に優位なアクリル、プラスチック製のものが好ましい。クリップ本体をクリスタル性にすることにより、クリップで挟まれた部分が透過されるのでメモ全体が判読可能となる。また、電池バネ等の伸縮体の内部構造が外部からも判読できるので、視覚的に面白い。Ｕ字型の形状の詳細は、図１で示すようにクリップ本体の前面片辺部が後面片辺部よりも短くなる形状とする。これにより、メモ等を手前から挟み保持し易くなる。なお、クリップ本体の裏面は平面とし、マグネット、粘着シート、画鋲等が組成出来るようにする。また、壁面への広告物等の保持には、画鋲の使用頻度が高いが、本発明は構造シンプルな為、小型軽量化が簡単に出来る。よって、画鋲を組成して壁面にしっかり固定できる。図４はその形態を表している。なお、保持力を優先させる場合には、図２で示すようにクリップ本体の前面片辺部の裏側にスポンジ等のクッション材を組成することにより、被保持体に対する摩擦係数が高まり、保持力を向上させることが出来る。【０００７】  次に、伸縮体の最良の形態について開示する。伸縮体は電池バネ又はスポンジ体とし、少なくとも１個をクリップ本体内に組成する構成とする。図１、図２は電池バネを組成した形態を表している。図４はスポンジ体を組成した形態を表している。伸縮体の電池バネを１個に限定しない事由を開示する。例えば、クリップ本体を大きくする場合は、複数個の電池バネの組成を必要とし、バネの反発値を複数バネの合計値により保持力を高めることが出来る。また、クリップ本体内に、電池バネ２個を左右に組成することにより、押さえ板基材の中央部への鍵やペンなどの小物類の差し込みが容易になる。バネは、クリップ本体の上部に組成し、接着剤で本体に固定させるか若しくは突起材（４）により固定し、組成するバネは、電池バネとする。電池バネとする事由を以下に２点示す。１点に、押さえ板基材のへの字角と電池バネ形状の台形斜角が形状的な整合性が図れる。もう１点に電池バネは、収縮性に大変優れている。具体に説示すると直径２５ｍｍ電池バネのばね高が１６ｍｍあるが、これを縮めると高さ２ｍｍに縮率する。すなわち、電池バネは全体の約１割強に縮率する一方で、残りの約９割弱が挟むことが可能な空間として利用出来る特性がある。本発明は、この縮率に着目しており、伸縮体の材質は電池バネの外、スポンジ等のクッション材の代用も可能であり、すなわちクリップ本体幅とほぼ同等厚のものの保持が本発明により可能となる。【０００８】  本クリップ構造の主３要素の最後に、押さえ板基材について説示する。電池バネ又はスポンジ体の反発力が押さえ板全体に均等に反発し、メモ等の被保持体が保持される仕組みである。押さえ板基材の材質は、アクリルシートやプラスチックシート、厚紙等の摩擦係数の低い基材でも十分被保持体の保持が可能である。なお、摩擦係数の高いゴムシート、シリコンシートの使用も可能である。押さえ板基材の形状は、電池バネの台形状及び被保持体の挿入口を考慮してへの字型とし、板厚は０．５ｍｍ前後が好ましい。そして、被保持物の挿入に応じて押さえ板基材のへの字角が直線状に可変する構成とする。図３は被保持体の雑誌を保持した形態を表している。なお、押さえ板基材をステンレス等の針金（１０）とし、電池バネと一連一体の構成とすることも出来るが、金属類は直線状の可変に課題もあることから、この場合のへの字傾斜角は予め緩傾斜角となるように配慮する。図５はその電池バネと押さえ板基材の一連一体性の形態を表している。本発明は以上の構成から成るものであり、試作品により実証済みであることをここで申し添える。【０００９】  なお、本発明はここに開示する特定の形態に限定する意図はなく、むしろ請求の範囲に定義する本発明の精神と範囲内にある全ての代替、変更及びこれと等価なものは本発明に含まれるものと理解されたい。
【図面の簡単な説明】
【００１０】
【図１】  本発明の伸縮体に電池バネを組成した斜視図である。
【図２】  本発明の伸縮体に電池バネを組成した側面図である。
【図３】  本発明の使用状態を表す側面図である。
【図４】  本発明の伸縮体にスポンジ等のクッション材と画鋲を組成した側面図である。
【図５】  本発明の伸縮体の電池バネと押さえ板基材の一連一体性を持たせた斜視図である。
【符号の説明】
【００１１】  １  クリップ本体
２  電池バネ
３  押さえ板基材
４  突起材
５  粘着剤
６  クッション材
７  被保持体（雑誌）
８  粘着シート
９  画鋲
１０  針金
【図１】
2006315382.tif 000003
【図２】
2006315382.tif 000004
【図３】
2006315382.tif 000005
【図４】
2006315382.tif 000006
【図５】
2006315382.tif 000007
【手続補正書】
【提出日】平成17年8月22日(2005.8.22)
【手続補正１】
【補正対象書類名】図面
【補正対象項目名】図６
【補正方法】追加
【補正の内容】
【図６】
2006315382.tif 000008
【手続補正書】
【提出日】平成17年10月24日(2005.10.24)
【手続補正１】
【補正対象書類名】手続補正書
【補正対象項目名】手続補正１
【補正方法】変更
【補正の内容】
【手続補正１】
【補正対象書類名】図面
【補正対象項目名】図６
【補正方法】追加
【補正の内容】
【図６】
2006315382.tif 000009
【手続補正２】
【補正対象書類名】手続補正書
【補正対象項目名】手続補正２
【補正方法】追加
【補正の内容】
【手続補正２】
【補正対象書類名】図面
【補正対象項目名】図７
【補正方法】追加
【補正の内容】
【図７】
2006315382.tif 000010
【手続補正３】
【補正対象書類名】手続補正書
【補正対象項目名】手続補正３
【補正方法】追加
【補正の内容】
【手続補正３】
【補正対象書類名】明細書
【補正対象項目名】００１０
【補正方法】変更
【補正の内容】
【００１０】
【図１】  本発明の伸縮体に電池バネを組成した斜視図である。
【図２】  本発明の伸縮体に電池バネを組成した側面図である。
【図３】  本発明の使用状態を表す側面図である。
【図４】  本発明の伸縮体にスポンジ等のクッション材と画鋲を組成した側面図である。
【図５】  本発明の伸縮体の電池バネと押さえ板基材の一連一体性を持たせた斜視図である。
【図６】  本発明の押さえ板基材をＵ字型本体の下部に固定した斜視図である。
【図７】  本発明の押さえ板基材をＵ字型本体の下部に固定した側面図である。